(57)【要約】【課題】同一検出電極上での感度の不均一を防止又は低減させる。【解決手段】パネル本体２０には、Ｘ方向に延在し、互いに所定間隔をあけてＹ方向に配置された複数の駆動電極２２と、Ｙ方向に延在し、互いに所定間隔をあけてＸ方向に配置された複数の検出電極２６と、がマトリクス状に配置されている。タッチ位置のＸ座標を検出するとき、駆動部５０は、全駆動電極２２に駆動電圧を印加し、受信部６０は、検出対象の検出電極２６を順次選択し、検出対象の検出電極２６から電圧値を検出する。このとき、受信部６０は、検出対象の検出電極２６以外の検出電極２６に対して駆動電圧を印加する。制御部７０は、検出電極２６からの電圧値に基づいてタッチ操作を検出する。【選択図】図１
2015114747.tif 000002
【特許請求の範囲】
【請求項１】
互いに所定間隔をあけて第１の方向に延在して配置された複数の駆動電極と、
互いに所定間隔をあけて前記第１の方向と交差する第２の方向に延在して配置された複数の検出電極と、
前記複数の駆動電極及び前記複数の検出電極に電圧を供給する電源と、
前記電源からの駆動電圧を印加する駆動電極を順次切り換えるとともに、電位差を検出する検出対象の検出電極を順次切り換える切換部と、
前記切換部による切り換えを制御し、前記切換部によって選択された駆動電極に駆動電圧を印加し、前記切換部によって選択された前記検出対象の検出電極と前記選択された駆動電極との間の電位差を検出し、前記電位差に基づいて、前記選択された駆動電極と前記選択された検出電極との交差位置におけるタッチを検出する制御部と、
を有し、
前記制御部は、前記検出対象の検出電極の隣に設置された検出電極に、前記電源からの検出電圧を印加する、
ことを特徴とするタッチパネル装置。
【請求項２】
請求項１に記載のタッチパネル装置であって、
前記検出電圧は前記駆動電圧である、
ことを特徴とするタッチパネル装置。
【発明の詳細な説明】
【技術分野】
【０００１】
本発明は、静電容量方式のタッチパネル装置に関する。
【背景技術】
【０００２】
タッチパネル装置は、ユーザの指等の指示物によるタッチ操作が行われるタッチ面を有し、タッチ操作が行われた位置を検出する装置である。
【０００３】
タッチパネル装置の方式として静電容量方式が知られており、その方式には、自己容量方式と相互容量方式とがある。自己容量方式では、指示物と検出電極との結合容量（静電容量）の変化を検出することで、タッチ位置を検出する。また、特許文献１には、相互容量方式のタッチパネル装置が開示されている。
【０００４】
相互容量方式のタッチパネル装置に用いられるタッチパネル電極シートは、Ｘ方向に延在し、互いに所定間隔をあけてＸ方向と交差するＹ方向に配置された複数の駆動電極と、Ｙ方向に延在し、互いに所定間隔をあけてＸ方向に配置された複数の検出電極と、によって構成される。複数の駆動電極と複数の検出電極とは、絶縁層を挟んで重なり合う態様で交差している。相互容量方式では、駆動電極に駆動電圧が印加されると、駆動電極と検出電極とが交差する電極交点にコンデンサが形成されて電荷が蓄積される。そして、タッチ操作が行われると、電極交点における結合容量（静電容量）が変化するため、その変化量を電圧値（電位差）として検出することで、タッチ位置を検出する。
【０００５】
相互容量方式を利用したタッチ検出の方法として、以下の方法がある。まず、タッチ位置のＸ座標を検出するために、全駆動電極に駆動電圧を印加する。全駆動電極に駆動電圧が印加されている間に、検出対象の検出電極を順次選択し、検出対象の検出電極から電圧値（電位差）を検出する。これにより、１本の検出電極の全体における結合容量（静電容量）の変化を検出することができる。そして、各検出電極からの電圧値に基づき、１本の検出電極の全体における結合容量の変化を検出電極毎に検出し、検出電極毎にタッチ操作の有無を判定することで、タッチ操作されている検出電極を検出する。これにより、タッチ位置のＸ座標が決定される。次に、タッチ位置のＹ座標を検出するために、駆動電極を順次選択し、選択した駆動電極に駆動電圧を印加する。選択された駆動電極に駆動電圧が印加される度に、タッチ操作が検出された検出電極から電圧値を検出する。これにより、タッチ操作が検出された検出電極と、駆動電圧が印加された駆動電極と、が交差する電極交点毎に、結合容量の変化を検出することができる。そして、タッチ操作が検出された検出電極と、駆動電圧が印加された駆動電極と、が交差する電極交点の結合容量の変化を検出し、電極交点毎にタッチ操作の有無を判定することで、タッチ操作されている駆動電極を検出する。これにより、タッチ位置のＹ座標が決定される。このようにして、タッチ位置のＸ座標及びＹ座標が決定されて、タッチ位置が検出される。
【先行技術文献】
【特許文献】
【０００６】
【特許文献１】特開２０１３−１４５６０３号公報
【発明の概要】
【発明が解決しようとする課題】
【０００７】
ところで、タッチ位置のＸ座標を決定するために、検出電極毎にタッチ位置の検出を行う際、同一検出電極へのタッチ操作であっても、Ｙ方向（検出電極が延在する方向）の位置によって、結合容量の変化量に差異が生じ、感度に差異が生じる。これは、Ｙ方向の位置によって寄生容量が異なるからである。寄生容量は、電極間や配線間等で発生する意図しない結合であり、パターンが長いほど発生しやすくなる。タッチパネル装置では、検出電極の一端に配線（引き出し線）が接続され、その配線は、タッチパネル装置を制御する制御装置に接続される。同一検出電極であっても、配線から遠い位置ほど配線からの距離が長くなる（パターンが長くなる）ので、寄生容量が大きくなる。寄生容量が大きくなると、タッチ操作したときの結合容量の変化量が小さくなるため、同一検出電極において配線から遠い位置ほど感度が悪くなり、タッチ操作を検出できないおそれもある。
【０００８】
この点について詳しく説明する。上記のように、駆動電極に駆動電圧を印加すると、駆動電極と検出電極とが交差する電極交点にコンデンサが形成されて電荷が蓄積される。一方で、タッチパネル装置においては、寄生容量を発生させる意図しないコンデンサが形成される。そして、電極交点におけるコンデンサと寄生容量を発生させるコンデンサとが並列の関係となり、駆動電圧の印加によって電極交点におけるコンデンサに蓄積されるはずの電荷が、寄生容量を発生させるコンデンサに流れてしまい、その分、電極交点に蓄積される電荷量が減少する。同一検出電極であっても、配線から遠い位置ほど寄生容量が大きくなるため、配線から遠い位置の電極交点ほど、寄生容量を発生させるコンデンサに流れ込む電荷量が多くなる。その結果、配線から遠い位置の電極交点ほど、蓄積される電荷量が少なくなり、結合容量（静電容量）が小さくなる。電極交点の結合容量自体が小さくなるため、タッチ操作したときの結合容量の変化量も小さくなる。従って、配線から遠い位置の電極交点ほど感度が悪くなる。このように、同一検出電極であっても、配線から近い電極交点と遠い電極交点とで、蓄積される電荷量（結合容量）に差が生じ、タッチ操作時における結合容量の変化量に差が生じるため、同一検出電極上であっても感度が不均一になる。タッチパネル装置が大型化するほど、位置の違いによる寄生容量の差が大きくなるため、感度が不均一になる傾向は、タッチパネル装置が大型化するほど顕著になる。
【０００９】
本発明の目的は、同一検出電極上での感度の不均一を防止又は低減させることである。
【課題を解決するための手段】
【００１０】
請求項１に係る発明は、互いに所定間隔をあけて第１の方向に延在して配置された複数の駆動電極と、互いに所定間隔をあけて前記第１の方向と交差する第２の方向に延在して配置された複数の検出電極と、前記複数の駆動電極及び前記複数の検出電極に電圧を供給する電源と、前記電源からの駆動電圧を印加する駆動電極を順次切り換えるとともに、電位差を検出する検出対象の検出電極を順次切り換える切換部と、前記切換部による切り換えを制御し、前記切換部によって選択された駆動電極に駆動電圧を印加し、前記切換部によって選択された前記検出対象の検出電極と前記選択された駆動電極との間の電位差を検出し、前記電位差に基づいて、前記選択された駆動電極と前記選択された検出電極との交差位置におけるタッチを検出する制御部と、を有し、前記制御部は、前記検出対象の検出電極の隣に設置された検出電極に、前記電源からの検出電圧を印加する、ことを特徴とするタッチパネル装置である。
【００１１】
請求項２に係る発明は、請求項１に記載のタッチパネル装置であって、前記検出電圧は前記駆動電圧である、ことを特徴とする。
【発明の効果】
【００１２】
本発明によれば、検出対象の検出電極の隣に設置された検出電極に電圧を印加することで、位置の違いによる検出電極と駆動電極との間の結合容量の差が減少するので、同一検出電極での感度の不均一を防止又は低減させることが可能となる。
【図面の簡単な説明】
【００１３】
【図１】本発明の実施形態に係るタッチパネル装置の全体構成を示す図である。
【図２】タッチ位置の検出制御の一例を示すフローチャートである。
【図３】タッチパネル装置の一部を示す図である。
【図４】本実施形態に係るタッチパネル装置において、未タッチ時に形成される電界（電気力線）の様子を模式的に示す図である。
【図５】本実施形態に係るタッチパネル装置において、タッチ時に形成される電界（電気力線）の様子を模式的に示す図である。
【図６】比較例に係るタッチパネル装置において、未タッチ時に形成される電界（電気力線）の様子を模式的に示す図である。
【図７】比較例に係るタッチパネル装置において、タッチ時に形成される電界（電気力線）の様子を模式的に示す図である。
【発明を実施するための形態】
【００１４】
図１に、本実施形態に係るタッチパネル装置を示す。タッチパネル装置１０は、パネル本体２０と制御装置４０とを含む。パネル本体２０は、指示物によるタッチ操作が行われるタッチ面（操作領域）を備えている。制御装置４０は、タッチ面に対する指示物によるタッチ操作に応じた結合容量（静電容量）の変化に基づき、タッチ位置を検出する。なお、指示物は、一例として、ユーザの指、及び、スタイラスや指示棒等の導電体である。
【００１５】
パネル本体２０には、複数の駆動電極２２（駆動電極２２ａ〜２２ｅ）と複数の検出電極２６（検出電極２６ａ〜２６ｅ）とがマトリクス状（格子状）に配置されている。駆動電極２２ａ〜２２ｅと検出電極２６ａ〜２６ｅとによって、タッチ面が構成されている。図１に示す例では、駆動電極２２ａ〜２２ｅと検出電極２６ａ〜２６ｅとは、互いに直交して配置されている。なお、図１に示す例では、それぞれ５本の駆動電極２２及び検出電極２６が設置されているが、これは一例であり、５本以外の駆動電極２２及び検出電極２６が設置されてもよい。
【００１６】
具体的には、駆動電極２２ａ〜２２ｅは、互いに等間隔でＹ方向（第２の方向）に配置されており、駆動電極２２ａ〜２２ｅは、Ｘ方向（第１の方向）に延在している。駆動電極２２ａ〜２２ｅには駆動電極用配線２４が接続されており、各駆動電極用配線２４は、駆動部５０に接続されている。検出電極２６ａ〜２６ｅは、互いに等間隔でＸ方向（第１の方向）に配置されており、検出電極２６ａ〜２６ｅは、Ｙ方向（第２の方向）に延在している。検出電極２６ａ〜２６ｅには検出電極用配線２８が接続されており、各検出電極用配線２８は、受信部６０に接続されている。
【００１７】
駆動電極２２ａ〜２２ｅと検出電極２６ａ〜２６ｅとは、図示しない絶縁層を介して重なり合うように交差しており、駆動電極２２ａ〜２２ｅと検出電極２６ａ〜２６ｅとが交差する電極交点にはコンデンサが形成される。指示物がタッチ面に接近又は接触すると、これに応じて電極交点の結合容量が減少することで、タッチ操作の有無を検出することができる。絶縁層は、例えば、光学的に透明な接着剤が用いられる。また、駆動電極２２ａ〜２２ｅ及び検出電極２６ａ〜２６ｅは、タッチパネル装置１０の表面側に設置された保護層（表面コーティング層）によって保護され、この保護層の表面が、タッチ操作が行われるタッチ面となる。
【００１８】
制御装置４０は、駆動部５０と受信部６０と制御部７０とを含む。
【００１９】
駆動部５０は、駆動電圧を供給する電源５２と、駆動電極２２ａ〜２２ｅと電源５２との接続を切り換えて駆動電極２２ａ〜２２ｅのいずれかを選択し、電源５２からの駆動電圧を印加する切換部５４と、を含む。
【００２０】
受信部６０は、受信処理部６２と電源６４と切換部６６とを含む。受信処理部６２は、駆動電極２２ａ〜２２ｅへの駆動電圧の印加に対応して検出電極２６ａ〜２６ｅから検出される電圧値（電位差）を処理することで、電圧値に対応するレベル信号を出力する。電源６４は、検出電圧を供給する。検出電圧値は、例えば、駆動電極２２ａ〜２２ｅに印加される駆動電圧と同じ値である。なお、検出電圧値は、駆動電圧よりも小さくてもよい。切換部６６は、検出電極２６ａ〜２６ｅと受信処理部６２との接続を切り換えて検出電極２６ａ〜２６ｅのいずれかを検出対象の検出電極２６として選択し、検出対象の検出電極２６からの電圧値を受信処理部６２に出力する。また、切換部６６は、検出電極２６ａ〜２６ｅの中から検出対象以外の検出電極２６を選択し、電源６４からの検出電圧を印加する。例えば、切換部６６は、検出電極２６ａ〜２６ｅのうち、検出対象の検出電極２６の隣に設置された検出電極２６を選択して検出電圧を印加する。
【００２１】
制御部７０は、駆動部５０の切換部５４及び受信部６０の切換部６６による切り換え動作を制御するとともに、受信部６０から出力されるレベル信号（電位差）に基づいて、タッチ操作を検出する。例えば、制御部７０は、電位差と閾値電位とを比較し、その比較結果に基づいてタッチ操作を検出してもよい。一例として、制御部７０は、駆動電極２２ａ〜２２ｅと検出電極２６ａ〜２６ｅとの間の電位差が閾値電位以下となった電極交点を、タッチ位置として検出してもよい。
【００２２】
本実施形態では、相互容量方式が採用されている。駆動電極２２ａ〜２２ｅに駆動電圧を印加すると、これに応答して検出電極２６ａ〜２６ｅに充放電電流が流れ、このとき、指示物によるタッチ操作に応じて電極交点の結合容量が変化すると、検出電極２６ａ〜２６ｅの充放電電流が変化し、この変化量に基づいてタッチ位置が求められる。相互容量方式では、駆動電極２２ａ〜２２ｅと検出電極２６ａ〜２６ｅとによる電極交点毎にレベル信号（電位差）が検出されるため、同時に複数のタッチ位置を検出する、いわゆるマルチタッチ（多点検出）が可能である。
【００２３】
ここで、図２に示すフローチャートを参照して、タッチ位置の検出制御の一例について説明する。まず、タッチ位置のＸ座標を検出する（Ｓ０１）。そのために、駆動部５０の切換部５４は、すべての駆動電極２２ａ〜２２ｅを選択し、すべての駆動電極２２ａ〜２２ｅにパルス状の駆動電圧を印加する。駆動電極２２ａ〜２２ｅのすべてに駆動電圧が印加されている間に、受信部６０の切換部６６は、検出電極２６ａ〜２６ｅの中から検出対象の検出電極２６を順次選択し、検出対象の検出電極２６から電圧値（電位差）を検出する。受信処理部６２は、その電圧値に応じたレベル信号を制御部７０に出力する。例えば、切換部６６は、検出電極２６ａ〜２６ｅの中から１本ずつ検出電極２６を選択し、受信処理部６２は、選択された検出電極２６からの電圧値に応じたレベル信号を制御部７０に出力する。これにより、１本の検出電極２６の全体における結合容量の変化を検出することができる。すなわち、検出電極２６ａ〜２６ｅのそれぞれについて、全体における結合容量の変化を検出することができる。制御部７０は、検出電極２６ａ〜２６ｅのそれぞれについて全体における結合容量の変化に基づき、検出電極２６ａ〜２６ｅのそれぞれについてタッチ操作の有無を判定することで、タッチ操作が行われている１本の検出電極２６、すなわち、タッチ位置のＸ座標を検出する。タッチ位置のＸ座標が検出された場合（Ｓ０２，Ｙｅｓ）、これにより、タッチ位置のＸ座標が決定される（Ｓ０３）。タッチ位置のＸ座標が検出されない場合（Ｓ０２，Ｎｏ）、処理はステップＳ０１に戻る。
【００２４】
タッチ位置のＸ座標が検出されると、次に、タッチ位置のＹ座標を検出する（Ｓ０４）。そのために、駆動部５０の切換部５４は、駆動電極２２ａ〜２２ｅの中から駆動電圧を印加する駆動電極２２を順次選択し、選択した駆動電極２２にパルス状の駆動電圧を印加する。例えば、切換部５４は、駆動電極２２ａ〜２２ｅの中から１本ずつ駆動電極２２を選択して駆動電圧を印加する。受信部６０の切換部６６は、Ｘ座標検出処理にてタッチ操作が検出された検出電極２６から電圧値（電位差）を検出し、受信処理部６２は、その電圧値に応じたレベル信号を制御部７０に出力する。これにより、Ｘ座標検出処理にてタッチ操作が検出された検出電極２６と、駆動電圧が印加された駆動電極２２ａ〜２２ｅのそれぞれと、が交差する電極交点毎に、結合容量の変化を検出することができる。制御部７０は、各電極交点における結合容量の変化に基づき、電極交点毎にタッチ操作の有無を判定することで、タッチ操作が行われている１本の駆動電極２２、すなわち、タッチ位置のＹ座標を検出する。タッチ位置のＹ座標が検出された場合（Ｓ０５，Ｙｅｓ）、これにより、タッチ位置のＹ座標が決定される（Ｓ０６）。このようにして、タッチ位置のＸ座標及びＹ座標が決定されて、タッチ位置が検出される。タッチ位置のＹ座標が検出されない場合（Ｓ０５，Ｎｏ）、例えば、処理はステップＳ０１に戻る。
【００２５】
本実施形態では、タッチ位置のＸ座標を検出するときに、制御部７０は、検出電極２６ａ〜２６ｅのうち、検出対象として選択されていない検出電極２６（検出対象以外の検出電極２６）に駆動電圧を印加するよう、受信部６０を制御する。受信部６０の切換部６６は、制御部７０の制御の下、検出電極２６ａ〜２６ｅの中から検出対象以外の検出電極２６を選択し、電源６４からの駆動電圧を印加する。
【００２６】
図３を参照して、具体例を挙げて説明する。図３は、タッチパネル装置１０の一部を示す図である。一例として、Ｘ座標検出処理時において、検出電極２６ｄが、切換部６６によって検出対象の検出電極２６として選択されているものとする。この場合、受信処理部６２は、検出電極２６ｄからの電圧値に応じたレベル信号を制御部７０に出力する。一方、検出電極２６ａ〜２６ｃ，２６ｅは、検出対象以外の検出電極２６に該当し、その中で、検出電極２６ｃ，２６ｅは、検出対象の検出電極２６ｄの隣に設置された電極である。
【００２７】
タッチ位置のＸ座標を検出するとき、駆動部５０は、駆動電極２２ａ〜２２ｅのすべてに駆動電圧を印加する。このとき、受信部６０の切換部６６は、検出対象の検出電極２６ｄからの電圧値を受信処理部６２に出力するとともに、検出対象の検出電極２６ｄの隣に設置された検出対象以外の検出電極２６ｃ，２６ｅに対して、電源６４からの駆動電圧を印加する。なお、片側のみに他の検出電極２６が存在する検出電極２６ａ又は検出電極２６ｅが、検出対象の検出電極２６として選択された場合、切換部６６は、その片側に設置された他の検出電極２６ｂ又は検出電極２６ｄに駆動電圧を印加する。
【００２８】
ここで、図４及び図５を参照して、タッチパネル装置１０に形成される電界（電気力線）について説明する。図４及び図５は、駆動電極２２及び検出電極２６のそれぞれの断面を示す図である。図４は、タッチ操作が行われていないときの電界の様子を模式的に示す図であり、図５は、タッチ操作が行われているときの電界の様子を模式的に示す図である。なお、図４及び図５は、本実施形態に係る電界の様子を理解するための模式図であり、図１に示すタッチパネル装置１０の断面には対応していない。図３に示す例と同様に、検出電極２６ｄが、検出対象の検出電極２６として選択されており、検出電極２６ｃ，２６ｅは、検出電極２６ｄの隣に設置された電極である。
【００２９】
駆動電極２２に駆動電圧を印加するとともに、検出対象の検出電極２６ｄの隣に設置された検出対象以外の検出電極２６ｃ，２６ｅに駆動電圧を印加することで、検出電極２６ｃ，２６ｅと駆動電極２２との電位差が低減し、又は、電位差が無くなる。そのため、図４に示すように、タッチ操作が行われていないときには、駆動電極２２からの電気力線８０（電界）が検出電極２６ｄに集中し、駆動電極２２と検出電極２６ｄとの容量結合が強くなる。すなわち、検出電極２６ｃ，２６ｅと駆動電極２２との電位差が零、又は、ほぼ零になっているため、駆動電極２２からの電気力線８０（電界）は、検出電極２６ｃ，２６ｅに流れ込まず、検出電極２６ｄに集中して流れ込むことになる。また、検出電極２６ｃ，２６ｅからの電気力線８２（電界）によって、検出電極２６ｄは、検出電極２６ｃ，２６ｅとも容量結合する。そして、図５に示すように、指示物１００によってタッチ操作が行われると、指示物１００にも電気力線８４が流れ込み、検出電極２６ｄと駆動電極２２との結合容量が減少するので、結合容量の変化量に基づいてタッチ操作が行われた検出電極２６ｄが検出される。本実施形態では、検出電極２６ｄと駆動電極２２との容量結合が強くなり、更に、検出電極２６ｄが検出電極２６ｃ，２６ｅとも容量結合するので、同一検出電極２６ｄ上をタッチ操作したときの、位置の違いによる結合容量の変化量の差異が減少し、同一検出電極２６ｄ上での感度の不均一が防止又は低減される。また、検出電極２６ｄに流れ込む電気力線が多くなるため、タッチ操作が行われた場合の結合容量の変化量自体が大きくなり、そのことによっても、タッチ位置の検出感度が向上する。
【００３０】
この点について、図３を参照して詳しく説明する。図３において、電極交点３０ａは、検出対象の検出電極２６ｄと駆動電極２２ａとが交差する電極交点である。電極交点３０ｂは、同一の検出電極２６ｄと駆動電極２２ｅとが交差する電極交点である。検出電極用配線２８の位置を基準とすると、検出電極用配線２８と電極交点３０ａとの間の距離はＬ１であり、検出電極用配線２８と電極交点３０ｂとの間の距離はＬ２（＜Ｌ１）であり、電極交点３０ａは、電極交点３０ｂよりも検出電極用配線２８から遠い位置に形成されている。同一の検出電極２６ｄであっても、検出電極用配線２８から遠い位置ほど寄生容量が大きくなるので、電極交点３０ａに対して形成される寄生容量は、電極交点３０ｂに対して形成される寄生容量よりも大きくなる。駆動電極２２ａ〜２２ｅへの駆動電圧の印加によって、電極交点３０ａ，３０ｂにはそれぞれ電荷が蓄積されるが、電極交点３０ｂよりも電極交点３０ａの方が、寄生容量を発生するコンデンサに流れ込む電荷量が多くなるため、電極交点３０ａに蓄積される電荷量は、電極交点３０ｂに蓄積される電荷量よりも少なくなり、その結果、電極交点３０ａの結合容量は、電極交点３０ｂの結合容量よりも小さくなる。そのため、電極交点３０ａに対してタッチ操作が行われたときの結合容量の変化量は、電極交点３０ｂに対してタッチ操作が行われたときの結合容量の変化量よりも少なくなり、電極交点３０ａに対するタッチ操作の感度は、電極交点３０ｂに対するタッチ操作の感度よりも悪くなる。このように、検出対象の検出電極２６ｄの隣に設置された検出電極２６ｃ，２６ｅに駆動電圧を印加しない場合、同一の検出電極２６上に対してタッチ操作が行われても、Ｙ方向の位置によって感度に差が生じる。
【００３１】
そこで、本実施形態のように、検出対象の検出電極２６ｄの隣に設置された検出電極２６ｃ，２６ｅに駆動電圧を印加すると、検出電極２６ｃ，２６ｅによって検出電極２６ｄに対して形成される寄生容量の影響が低減される。このとき、電極交点３０ａ，３０ｂの両者に対する検出電極２６ｃ，２６ｅによる寄生容量の影響は、同様に低減される。
【００３２】
また、検出電極２６ｄにおいて検出電極２６ｃに対向する面３２と、検出電極２６ｃにおいて検出電極２６ｄに対向する面３６と、に着目すると、検出電極２６ｄと検出電極２６ｃとにおいて互いに対向する面３２，３６の面積は、電極交点３０ａの面積（検出電極２６ｄと駆動電極２２ａとが交差する部分の面積）よりも大きい。そのため、駆動電極２２ａからの駆動電圧によって電極交点３０ａに蓄積される電荷量よりも、検出電極２６ｃからの駆動電圧によって検出電極２６ｄと検出電極２６ｃとの間に蓄積される電荷量の方が多くなる。検出電極２６ｅについても同様である。検出電極２６ｄにおいて検出電極２６ｅに対向する面３４と、検出電極２６ｅにおいて検出電極２６ｄに対向する面３８と、に着目すると、検出電極２６ｄと検出電極２６ｅとにおいて互いに対向する面３４，３８の面積は、電極交点３０ａの面積よりも大きい。そのため、駆動電極２２ａからの駆動電圧によって電極交点３０ａに蓄積される電荷量よりも、検出電極２６ｅからの駆動電圧によって検出電極２６ｄと検出電極２６ｅとの間に蓄積される電荷量の方が多くなる。電極交点３０ｂについても電極交点３０ａと同様である。つまり、駆動電極２２ｅからの駆動電圧によって電極交点３０ｂに蓄積される電荷量よりも、検出電極２６ｃ，２６ｅからの駆動電圧によって検出電極２６ｄと検出電極２６ｃ，２６ｅとの間に蓄積される電荷量の方が多くなる。上記のように、電極交点３０ａ，３０ｂの感度の差は、駆動電極２２ａ，２２ｅからの駆動電圧によって電極交点３０ａ，３０ｂに蓄積される電荷量の差（結合容量の差）に起因するものであるが、駆動電極２２ａ，２２ｅからの駆動電圧によって電極交点３０ａ，３０ｂに蓄積される電荷量は、検出電極２６ｃ，２６ｅからの駆動電圧によって蓄積される電荷量よりも少なくなるため、駆動電極２２ａ，２２ｅからの駆動電圧によって電極交点３０ａ，３０ｂに蓄積される電荷量の差は、検出電極２６ｃ，２６ｅからの駆動電圧によって蓄積される電荷量に対して相対的に小さくなる。すなわち、検出電極２６ｄに対して蓄積される電荷量については、検出電極２６ｃ，２６ｅからの駆動電圧による寄与が大きくなり、駆動電極２２ａ，２２ｅからの寄与が小さくなるので、駆動電極２２ａ，２２ｅからの駆動電圧によって電極交点３０ａ，３０ｂに蓄積される電荷量の差は、検出電極２６ｃ，２６ｅからの駆動電圧による寄与によって解消される。そのため、電極交点３０ａと電極交点３０ｂとの間で結合容量の差が減少し、それに応じて、電極交点３０ａ，３０ｂにおいて、タッチ操作時における結合容量の変化量の差も減少するので、同一検出電極２６ｄ上における感度の不均一が低減される。また、タッチ操作時における結合容量の変化量自体が大きくなり、その変化量に対して、駆動電極２２ａ，２２ｅからの駆動電圧によって電極交点３０ａ，３０ｂに蓄積される電荷量の差に起因する結合容量の差が相対的に小さくなるため、電極交点３０ａ，３０ｂにおいて、タッチ操作時における結合容量の変化量の差が減少し、その結果、同一検出電極２６ｄ上における感度の不均一が低減される。
【００３３】
ここで、図４から図７を参照して、本実施形態と比較例とを対比して説明する。図６及び図７は、比較例に係る電界の様子を模式的に示す図であり、駆動電極及び検出電極の配置は、図４及び図５に示す本実施形態と同じである。図６は、タッチ操作が行われていないときの電界の様子を模式的に示す図であり、図７は、タッチ操作が行われているときの電界の様子を模式的に示す図である。
【００３４】
比較例では、タッチ位置のＸ座標を検出するとき、全駆動電極２２に駆動電圧を印加し、検出電極２６には駆動電圧を印加しない。この場合、図６に示すように、タッチ操作が行われていないときは、駆動電極２２から、電気力線１１０（電界）が検出対象の検出電極２６ｄに流れ込むとともに、駆動電極２２から、電気力線１１２（電界）が検出対象以外の検出電極２６ｃ，２６ｅにも流れ込む。このように、電気力線１１２によって駆動電極２２と検出電極２６ｃ，２６ｅとでも容量結合が生じるため、その分、検出電極２６ｄと駆動電極２２との容量結合が弱くなる。つまり、検出電極２６ｃ，２６ｅには駆動電圧が印加されていないため、検出電極２６ｃ，２６ｄ，２６ｅの電位は等しくなり、検出電極２６ｃ，２６ｅと駆動電極２２との電位差は、検出電極２６ｄと駆動電極２２との電位差と等しくなる。そのため、駆動電極２２からの電気力線は、検出電極２６ｄのみならず、検出対象以外の検出電極２６ｃ，２６ｅにも流れ込み、その分、検出電極２６ｄと駆動電極２２との容量結合が弱くなる。そして、図７に示すように、指示物１００によってタッチ操作が行われると、指示物１００にも駆動電極２２から電気力線１１４が流れ込む。このときも、駆動電極２２から検出電極２６ｃ，２６ｅに電気力線１１２が流れ込み、それらの間で容量結合が発生するため、その分、検出電極２６ｄと駆動電極２２との容量結合が弱くなる。このように、比較例では、検出電極２６ｄに流れ込む電気力線が減少し、検出電極２６ｄと駆動電極２２との間の結合容量が小さくなるため、タッチ操作が行われたときの結合容量の変化量が小さくなる。その結果、タッチ位置の検出感度が低下する。
【００３５】
これに対して、本実施形態では、図４に示すように、駆動電極２２からの電気力線８０が検出対象の検出電極２６ｄに集中するとともに、検出電極２６ｃ，２６ｅからも検出電極２６ｄに電気力線が流れ込むため、タッチ操作が行われたときの結合容量の変化量が大きくなり、その結果、タッチ位置の検出感度が向上する。
【００３６】
なお、検出対象以外の検出電極２６ｃ，２６ｅに印加される電圧の値を、駆動電極２２に印加される駆動電圧の値よりも小さくしてもよい。例えば、検出電極２６ｃ，２６ｅと駆動電極２２との電位差が、電圧が印加されていない状態の検出電極２６ｃ，２６ｅと駆動電極２２との電位差よりも、小さくなるような値の電圧を、検出電極２６ｃ，２６ｅに印加する。これにより、検出電極２６ｃ，２６ｅに電圧を印加したときに駆動電極２２から検出電極２６ｃ，２６ｅに流れ込む電気力線が、検出電極２６ｃ，２６ｅに電圧を印加していないときに駆動電極２２から検出電極２６ｃ，２６ｅに流れ込む電気力線よりも少なくなり、その分、検出電極２６ｄに流れ込む電気力線が増大する。そのため、検出電極２６ｃ，２６ｅに電圧を印加していない場合と比べて、タッチ操作が行われたときの結合容量の変化量が大きくなり、その結果、タッチ位置の検出感度が向上する。
【００３７】
また、本実施形態では、図２に示すフローチャートを参照して説明したように、駆動電極２２ａ〜２２ｅのすべてに駆動電圧を印加した状態で、タッチ操作が行われた１本の検出電極２６（タッチ位置のＸ座標）を検出し、次に、駆動電極２２ａ〜２２ｅを１本ずつ選択して駆動電圧を順次印加することで、タッチ操作が行われた１本の駆動電極２２（タッチ位置のＹ座標）を検出している（本実施形態の方式）。これとは別の方式として、駆動電極２２ａ〜２２ｅを１本ずつ選択して駆動電圧を順次印加し、駆動電極２２ａ〜２２ｅの１本に駆動電圧を印加している間に、検出電極２６ａ〜２６ｅを１本ずつ選択して出力信号を順次受信する方式がある（別方式）。別方式では、複数の駆動電極２２及び複数の検出電極２６をそれぞれ１本ずつスキャンしていることになるため、タッチ位置の検出に時間を要する。本実施形態の方式では、駆動電極２２ａ〜２２ｅのすべてに駆動電圧を印加した状態で、タッチ操作が行われた１本の検出電極２６（タッチ位置のＸ座標）を検出しているので、その分、別方式と比べて、タッチ位置の検出に要する時間を短縮することができる。しかしながら、本実施形態の方式では、タッチ位置のＸ座標を検出するためには、１本の検出電極２６の全体における結合容量の変化量を検出する必要があるので、上記のように、寄生容量の影響により、同一検出電極２６であってもＹ方向の位置によって感度に差が生じる。これに対して、本実施形態では、上記のように寄生容量の影響を低減して、Ｙ方向の位置の違いによる結合容量の変化量の差を減少させることができるので、感度の不均一を低減させることができる。このように、本実施形態によると、別方式を採用した場合と比べて、タッチ位置の検出に要する時間を短縮することができるとともに、感度の不均一を低減させることができる。
【符号の説明】
【００３８】
１０  タッチパネル装置、２０  パネル本体、２２ａ〜２２ｅ  駆動電極、２４  駆動電極用配線、２６ａ〜２６ｅ  検出電極、２８  検出電極用配線、３０ａ，３０ｂ  電極交点、４０  制御装置、５０  駆動部、５２，６４  電源、５４，６６  切換部、６０  受信部、６２  受信処理部、７０  制御部。
【図１】
2015114747.tif 000003
【図２】
2015114747.tif 000004
【図３】
2015114747.tif 000005
【図４】
2015114747.tif 000006
【図５】
2015114747.tif 000007
【図６】
2015114747.tif 000008
【図７】
2015114747.tif 000009